(57)【要約】【課題】鍵としての形状になんら変更を加えることなく暗闇でも鍵穴を容易に見つける。【解決手段】鍵本体１１の片面１１ａのみに０．２〜０．５ｍｍ程度と非常に薄い有機ＥＬシート１５が貼着されている。把手部１３を右手で保持し、右手の親指で押圧スイッチ１６を押圧すると、有機ＥＬシート１５が発光する。鍵１０をシリンダ１９に近づけると、シリンダ１９の鍵穴１９ａ辺りが照らされるとともに、鍵穴１９ａの左脇に配置されている反射シール２０が光る。これを目印にして、鍵穴１９ａを目視で確認することができる。片面１１ａが把手部１３を把持している人の左手側に向いているので、このまま挿入部１２の先端を、反射シール２０の右脇に位置する鍵穴１９ａに挿入すれば、挿入部１２は、正しい向きで鍵穴１９ａに挿入される。挿入部１２を鍵穴１９ａの奥まで挿入した後、把手部１３を所定の方向へ回動させれば、施錠装置１８は解錠する。【選択図】図３
2010101093.tif 000002
【特許請求の範囲】
【請求項１】
錠前の施解錠に用いられ、前記錠前の鍵穴に挿入される挿入部と、把持される把手部とからなる鍵本体と、
前記挿入部及び／又は前記把手部の表面に設けられ、平面状をした発光体と、
前記鍵本体に設けられ、前記発光体を駆動して発光させる発光駆動手段と
を備えたことを特徴とする鍵。
【請求項２】
前記発光駆動手段は、前記錠前との接近により発生する電磁誘導により前記発光体に電力を供給する電力供給部であることを特徴とする請求項１記載の鍵。
【請求項３】
前記発光駆動手段は、前記発光体に電力を供給する電池と、この電池から前記発光体に電力を供給する際にオンされるスイッチ部とからなることを特徴とする請求項１記載の鍵。
【請求項４】
前記発光体は、前記挿入部及び／又は前記把手部の片面に設けられていることを特徴とする請求項１ないし３いずれか１項記載の鍵。
【請求項５】
前記発光体は、シート状をした有機ＥＬ又は無機ＥＬであることを特徴とする請求項１ないし４いずれか１項記載の鍵。
【請求項６】
前記請求項１ないし５いずれか１項記載の鍵と、
前記発光体が設けられた前記鍵本体の片面と同じ側の前記鍵穴近傍の面に、印を付した錠前と
を備えたことを特徴とする施錠装置。
【請求項７】
前記印は、前記発光体からの光を反射して光る反射素材からなることを特徴とする請求項６記載の施錠装置。
【請求項８】
前記反射素材は、前記発光体の発光色と同様の色で光ることを特徴とする請求項７記載の施錠装置。
【請求項９】
鍵穴を有する錠前本体と、この錠前本体に設けられ、施解錠の情報を記憶する錠前側記憶部と、前記施解錠の情報を送信する送信部と、前記錠前側記憶部と送信部を制御する錠前側制御部とを備えた錠前と、
前記錠前の施解錠に用いられ、前記錠前の鍵穴に挿入される挿入部と把持される把手部とからなる鍵本体と、前記挿入部及び／又は前記把手部の表面に設けられ、平面状をした発光体と、前記鍵本体に内蔵され、前記前記施解錠の情報を受信する受信部と、この受信部に接続され、前記施解錠の情報を記憶する鍵側記憶部と、前記鍵本体に内蔵され、前記施解錠の情報に基づいて前記発光体の発光の仕方を制御する鍵側制御部と、前記鍵本体に内蔵され、少なくとも前記発光体及び前記鍵側制御部に電力を供給する電池と、前記把手部に設けられ、前記発光体を駆動する際にオンされるスイッチ部とを備えた鍵と
からなることを特徴とする施錠装置。
【請求項１０】
前記発光体は複数のセグメントに分けられ、これらの各セグメントの発光が所定の発光パターンを形成するように前記鍵側制御部によって制御されるとともに、
前記各セグメントの発光をそれぞれ受光する複数個の受光部を前記錠前本体に設け、前記錠前側制御部は、前記各受光部からの出力に基づいて前記発光パターンを読み取り、これが前記錠前側記憶部に予め記憶されている発光パターンと一致するか否かの判定を行なうとともに、一致していない場合には、解錠を不許可とすることを特徴とする請求項９項記載の施錠装置。
【請求項１１】
前記発光体は、シート状をした有機ＥＬであることを特徴とする請求項９または１０記載の施錠装置。
【発明の詳細な説明】
【技術分野】
【０００１】
本発明は、家屋や自動車，金庫等の扉に設置されて使用される鍵及び施錠装置に関するものである。
【背景技術】
【０００２】
家屋や自動車，金庫等の扉には、これを施解錠して特定の人間のみが扉の開閉を行なえるようにする施錠装置が設置されている。従来、このような施錠装置が種々提案され市販されている。例えば、特許文献１には、受光素子，発光素子からなる通信手段とマイコンとメモリカードを備えた鍵を、錠前の鍵穴に差し込むと、鍵が錠前側と通信し、錠前側のメモリに記憶されている錠前コードと、鍵側のメモリカードに記憶されている錠前コードとを照合し、これらが一致している場合に解錠を許可する施錠装置が記載されている。
【特許文献１】特開２００５−０１６０６４号公報
【発明の開示】
【発明が解決しようとする課題】
【０００３】
ところで、例えば、夜遅くに帰宅したが、街灯が点いていない場合など、暗闇で鍵穴を目視できず、手さぐりで鍵穴を見つけなければならないという問題がある。これを解決するには、鍵に小型のランプを設けることも考えられるが、鍵の厚みが増すため、鍵としての形状に変更を加える必要が生じる。上記特許文献１記載の鍵には、発光素子が挿入部に設けられているので、これを手動で発光させることも考えられるが、上記特許文献１記載の鍵は、光通信によって施錠または解錠を許可する特殊な鍵であり、一般に普及している例えばシリンダタンブラタイプの鍵に適用することはできない。
【０００４】
また、さらに、暗闇でやっと鍵穴を見つけたと思って、鍵を差し込もうとすると、鍵穴に対する鍵面の向きが左右逆向きで差し込めず、イライラさせられるという問題もある。また、外出先で施錠したかどうか心配になることがあるが、確かめる術がないという問題がある。
【０００５】
本発明は、上記のような問題点を解決するためになされたもので、鍵としての形状になんら変更を加えることなく暗闇でも鍵穴を容易に見つけることができる、暗闇でも鍵穴に鍵を差す向きを特定することができる、施錠をしたか否かが外出先でも確認することができる等、便利な機能を有する鍵及び施錠装置を提供することを目的とする。
【課題を解決するための手段】
【０００６】
本発明の鍵は、錠前の施解錠に用いられ、前記錠前の鍵穴に挿入される挿入部と、把持される把手部とからなる鍵本体と、前記挿入部及び／又は前記把手部の表面に設けられ、平面状をした発光体と、前記鍵本体に設けられ、前記発光体を駆動して発光させる発光駆動手段とを備えたことを特徴とする。
【０００７】
前記発光駆動手段は、前記錠前との接近により発生する電磁誘導により前記発光体に電力を供給する電力供給部であることが好ましい。前記発光駆動手段は、前記発光体に電力を供給する電池と、この電池から前記発光体に電力を供給する際にオンされるスイッチ部とからなることが好ましい。前記発光体は、前記挿入部及び／又は前記把手部の片面に設けられていることが好ましい。前記発光体は、シート状をした有機ＥＬ又は無機ＥＬであることが好ましい。
【０００８】
本願発明の施錠装置は、上記鍵と、前記発光体が設けられた前記鍵本体の片面と同じ側の前記鍵穴近傍の面に、印を付した錠前とを備えたことを特徴とする。前記印は、前記発光体からの光を反射して光る反射素材からなることが好ましい。前記反射素材は、前記発光体の発光色と同様の色で光ることが好ましい。
【０００９】
また、本願発明の施錠装置は、鍵穴を有する錠前本体と、この錠前本体に設けられ、施解錠の情報を記憶する錠前側記憶部と、前記施解錠の情報を送信する送信部と、前記錠前側記憶部と送信部を制御する錠前側制御部とを備えた錠前と、前記錠前の施解錠に用いられ、前記錠前の鍵穴に挿入される挿入部と把持される把手部とからなる鍵本体と、前記挿入部及び／又は前記把手部の表面に設けられ、平面状をした発光体と、前記鍵本体に内蔵され、前記前記施解錠の情報を受信する受信部と、この受信部に接続され、前記施解錠の情報を記憶する鍵側記憶部と、前記鍵本体に内蔵され、前記施解錠の情報に基づいて前記発光体の発光の仕方を制御する鍵側制御部と、前記鍵本体に内蔵され、少なくとも前記発光体及び前記鍵側制御部に電力を供給する電池と、前記把手部に設けられ、前記発光体を駆動する際にオンされるスイッチ部とを備えた鍵とからなることを特徴とする。
【００１０】
前記発光体は複数のセグメントに分けられ、これらの各セグメントの発光が所定の発光パターンを形成するように前記鍵側制御部によって制御されるとともに、前記各セグメントの発光をそれぞれ受光する複数個の受光部を前記錠前本体に設け、前記錠前側制御部は、前記各受光部からの出力に基づいて前記発光パターンを読み取り、これが前記錠前側記憶部に予め記憶されている発光パターンと一致するか否かの判定を行なうとともに、一致していない場合には、解錠を不許可とすることが好ましい。前記発光体は、シート状をした有機ＥＬであることが好ましい。
【発明の効果】
【００１１】
本発明によれば、錠前の鍵穴に挿入する挿入部及び／又は把手部に、平面状をした発光体を設け、この発光体を発光させるようにしたので、暗闇でも鍵穴を容易に見つけることができる。また、平面状をした発光体を用いたから、鍵としての形状になんら変更を加える必要がない。
【発明を実施するための最良の形態】
【００１２】
本発明の第１実施形態の鍵１０を示す図１において、鍵１０の鍵本体１１は、鍵穴に挿入される縁形状が凹凸状をした挿入部１２と、手で把持される把持部１３とからなり、例えばシリンダタンブラタイプの施錠装置に用いられる。挿入部１２と、挿入部１２側の把持部１３の一部である前部１３ａとは、一体に金属成形されている。また、把持部１３の残りの後部１３ｂは、樹脂成形されている。把持部１３の前部１３ａと後部１３ｂとは、不用意に外れることがないように一体的に固定されている。なお、後部１３ｂの端部には、リングや鎖等を取り付ける孔１３ｃが形成されている。
【００１３】
シリンダタンブラタイプの施錠装置は、周知のように、鍵の挿入部の縁形状が凹凸状になっており、挿入部をシリンダ（錠前）の鍵穴に差し込むと、シリンダの内部に設けられた長さが異なる複数個の下ピン（図示せず）が挿入部の縁にそれぞれ当接し、挿入部の縁形状がシリンダに対応していれば、上ピン（図示せず）と下ピンの区切りが一直線状になるから、把手部を把持して鍵を軸周りに回すことができるようになり、解錠できる仕組みになっている。
【００１４】
同図（Ａ）に示すように、鍵本体１１の一方の片面１１ａには、挿入部１２の軸線に沿った中央部と、把持部１３の前部１３ａとに、一繋がりに１枚のシート状をした有機ＥＬ（Organic Electro-Luminescence）である有機ＥＬシート１５（平面状をした発光体）が貼着されている。この有機ＥＬシート１５は、挿入部１２の中央部に貼着される細長部１５ａと、把持部１３の前部１３ａに貼着される矩形状部１５ｂとからなる。
【００１５】
有機ＥＬシートは、周知のように、蛍光素子からなる発光層を透明導電膜を用いた陽極とアルミや銀・マグネシウム合金等の金属薄膜を用いた陰極とで挟んだ構造をしており、陽極と陰極に電圧をかけると、発光層が発光する。
【００１６】
有機ＥＬシート１５は、０．２〜０．５ｍｍ程度と非常に薄いため、鍵本体１１の鍵としての形状をなんら変更する必要がない。鍵本体１１の片面１１ａは、有機ＥＬシート１５が貼着された後、この上から薄い透明な保護シートまたは透明樹脂で被覆される。他方の片面１１ｂには、同図（Ｂ）に示すように、有機ＥＬシート１５は貼着されない。
【００１７】
有機ＥＬシート１５は、把持部１３の後部１３ｂに設けられた押圧スイッチ１６（スイッチ部）を押圧している間のみ、発光される。押圧スイッチ１６は、その可動部が後部１３ｂと一体的に樹脂成形され、把持部１３の面よりもやや凸状に膨らんだ形状をしている。このため、後部１３ｂの樹脂は、少なくとも押圧スイッチ１６の可動部に対応する部分が押圧可能な硬さに成形され、この部分が押圧されている間のみ、押圧スイッチ１６がオンになる。また、押圧スイッチ１６は、有機ＥＬシート１５と同様に、片面１１ａのみに設けられているから、例えば押圧スイッチ１６を右手の親指で押圧するように把持部１３を右手で把持すると、有機ＥＬシート１５及び押圧スイッチ１６は左手側を向くことになる。
【００１８】
鍵１０の電気的構成は、図２に示すように、有機ＥＬシート１５，押圧スイッチ１６，及び電池１７からなる。電池１７としては、薄型のボタン電池等が使用され、後部１３ｂ内に設けられている。押圧スイッチ１６及び電池１７は、本発明に係る発光駆動手段を構成する。押圧スイッチ１６が押圧され、オンされると、電池１７から有機ＥＬシート１５に電力が供給され、有機ＥＬシート１５が発光される。
【００１９】
鍵１０と一対に施錠装置１８を構成するシリンダ１９は、図３に示すように、その鍵穴１９ａの左脇に、半月状の反射シール２０が貼着されている。この反射シール２０は、暗闇や暗がりで有機ＥＬシート１５からの光によって照らされると、有機ＥＬシート１５の発光色（例えば青色）と同じ色で光る。また、反射シール２０が光って見える向き（有機ＥＬシート１５が反射シール２０側に向いている向き）で、かつ反射シール２０の右脇に挿入部１２を差し込むようにすると、挿入部１２が正常に鍵穴１９ａに挿入される。なお、シリンダ１９は、図示していないドアに組み込まれている。
【００２０】
このように構成された鍵１０及び施錠装置１８の作用について説明する。例えば、夜にも関わらず街灯が点いていない自宅前に到着した場合、ポケット等から鍵１０を取り出し、シリンダ１９の鍵穴１９ａに鍵１０の挿入部１２を差し込もうとするが、暗闇で鍵穴１９ａを目視することができない。
【００２１】
そこで、手さぐりで、押圧スイッチ１６が右手の親指に触れるように把手部１３を右手で保持し、右手の親指で押圧スイッチ１６を押圧する。これにより、有機ＥＬシート１５が発光するから、これを懐中電灯代わりにして、シリンダ１９の鍵穴１９ａがあると思しきところへ鍵１０を近づける。有機ＥＬシート１５から発光する光によって、シリンダ１９の鍵穴１９ａ辺りが照らされるとともに、鍵穴１９ａの左脇に配置されている反射シール２０が光る。これにより、反射シール２０を目印にして、鍵穴１９ａを目視で確認することができる。
【００２２】
右手の親指で押圧スイッチ１６を押圧しながら把手部１３を右手で把持しているので、片面１１ａが把手部１３を把持している人の左手側に向いている。このまま挿入部１２の先端を、反射シール２０を目印にして、鍵穴１９ａに挿入すれば、挿入部１２は、正しい向きで鍵穴１９ａに挿入される。挿入部１２を鍵穴１９ａの奥まで挿入した後、把手部１３を所定の方向へ回動させれば、施錠装置１８は解錠する。
【００２３】
次に、本発明の第２実施形態について図４，図５を参照して説明する。なお、第１実施形態と同じ部材には、同じ符号を付し、説明を省略する。鍵２５は、図４（Ａ）に示すように、第１実施形態の有機ＥＬシート１５の代わりに、ドット毎に光らせることができるドットマトリクス型の有機ＥＬシート２６を用いている。また、挿入部１２の先端面には、電極２９が設けられている。
【００２４】
有機ＥＬシート２６の各ドットは、未発光状態では白色をしており、発光状態では青色に発光する。これにより、矩形状部２６ｂに、施錠したことを示す○印２７、または解錠したことを示す×印２８（同図（Ｂ））のいずれか一方を択一的に表示する。この表示の仕方は、例えば、○印２７又は×印２８の部分を残して、他の全ての部分を発光させる。この結果、○印２７又は×印２８を除いて、細長部２６ａを含む他の部分は青色に発光するから、○印２７又は×印２８が白く浮き出たように表示される。
【００２５】
鍵２５の電気的構成は、図５に示すように、押圧スイッチ１６，電池１７，有機ＥＬシート２６，電極２９，制御部３０（鍵側制御部），ＥＥＰＲＯＭ等からなる不揮発性のメモリ３１（鍵側記憶部），及び通信部３２からなる。制御部３０は、有機ＥＬシート２６，メモリ３１，及び通信部３２を制御する。電極２９は通信部３２に接続されている。
【００２６】
鍵２５と一対に用いられ、施錠装置３４を構成するシリンダ３５には、制御部３６（錠前側制御部），ＥＥＰＲＯＭ等からなる不揮発性のメモリ３７（錠前側記憶部），通信部３８，及び通信部３８に接続された電極３９からなる。この電極３９は、シリンダ３５に設けられた鍵穴の奥に設けられ、鍵穴に挿入された挿入部１２の電極２９と接触することにより、鍵２５の通信部３２とシリンダ３５の通信部３８とは接続されて通信可能になる。
【００２７】
鍵２５が、シリンダ３５の鍵穴に挿入され、施錠する方向に回動されると、制御部３６は、メモリ３７に施錠情報を記憶する。これと同時に、鍵２５の制御部３０は、通信部３８，３２を介して施錠情報を取り込み、メモリ３１に記憶する。鍵２５が鍵穴から引き抜かれた後も、メモリ３１に記憶された施錠情報は保持される。
【００２８】
外出先等で玄関の鍵を閉めたかどうか不安になった場合、押圧スイッチ１６を押圧すると、矩形状部２６ｂに○印２７が表示されるから、施錠されていることを確認することができる。同様に、メモリ３１に解錠情報が記憶されている場合には、押圧スイッチ１６を押圧することにより、矩形状部２６ｂに×印２８が表示される。
【００２９】
次に、本発明の第３実施形態について図６，図７を参照して説明する。第３実施形態は、第２実施形態にセキュリティ機能を付加したものである。なお、第２実施形態と同じ部材には、同じ符号を付し、説明を省略する。鍵４０に用いられる有機ＥＬシート４２は、図６に示すように、細長部を三分割した長方形部４２ａ〜４２ｃと、短い細長部を有する矩形状部４２ｄとの４セグメントに分割されている。また、矩形状部４２ｄは、有機ＥＬシート２６と同様に、ドットマトリクス型となっており、第２実施形態と同様に、○印２７又は×印２８が表示される。
【００３０】
鍵４０、及び鍵４０と一対に用いられ、施錠装置４４を構成するシリンダ４５の電気的構成を示す図７において、シリンダ４５の鍵穴４５ａ（図６参照）には、鍵４０の挿入部１２が挿入された状態で、長方形部４２ａ〜４２ｃ，矩形状部４２ｄに対応する各位置に、受光素子４７ａ〜４７ｄが配置されている。また、シリンダ４５の制御部４８（錠前側制御部）には、鍵穴４５ａに挿入された鍵４０の回動を阻止して解錠を不許可とするロック機構４９が接続されている。
【００３１】
挿入部１２が鍵穴４５ａの奥まで挿入されると、挿入部１２の先端面に設けられた電極２９が、鍵穴４５ａの奥に設けられた電極３９に接触し、通信部３２，３８同士が通信可能状態になると同時に、長方形部４２ａ〜４２ｃ，矩形状部４２ｄの各発光制御が、メモリ３１に予め記憶されている発光パターンのデータに従って、鍵４０の制御部５０（鍵側制御部）により開始される。
【００３２】
長方形部４２ａ〜４２ｃ，矩形状部４２ｄの各発光による発光パターンは、例えば、図６（Ａ）〜（Ｃ）に示すように、発光状態を「１」，消灯状態を「０」とすると、「１００１」（同図（Ａ）），「０１０１」（同図（Ｂ）），「０００１」（同図（Ｃ））の３種類が設けられ、これらを例えば０．１秒毎に「１００１」→「０１０１」→「０００１」と順次に切り換えて１サイクルとし、これが例えば３回繰り返される。
【００３３】
受光素子４７ａ〜４７ｄは、長方形部４２ａ〜４２ｃ，矩形状部４２ｄの各発光を受光し、各出力をシリンダ４５の制御部４８に入力する。制御部４８は、受光素子４７ａ〜４７ｄからの各出力に基づいて、長方形部４２ａ〜４２ｃ，矩形状部４２ｄの各発光による１サイクル分の発光パターンを読み取り、これと、予めメモリ３７に記憶されている発光パターンとを比較する。
【００３４】
受光素子４７ａ〜４７ｄからの各出力に基づく発光パターンと、予めメモリ３７に記憶されている発光パターンとが一致した場合には、制御部４８は、ロック機構４９に指令を出して鍵４０の回動を許容するが、一致しない場合には、鍵４０の回動を阻止する。これにより、施錠装置４４の安全性が確保される。
【００３５】
また、挿入部１２を鍵穴４５ａの奥まで挿入する以前の電極２９，３９が互いに接触していない状態で押圧スイッチ１６を押圧した場合は、有機ＥＬシート４２の長方形部４２ａ〜４２ｃ，矩形状部４２ｄの全部が一斉に連続発光し、第１，第２実施形態と同様に、上述したような暗闇で鍵穴を確認したい場合などに、懐中電灯代わりに用いることができる。
【００３６】
次に、本発明の第４実施形態について図８を参照して説明する。第４実施形態の施錠装置５５は、第１実施形態と同様の形状をしたシリンダ５６と鍵５７から構成される。なお、第１実施形態と同じ部材には、同じ符号を付し、説明を省略する。
【００３７】
シリンダ５６には、その表面又は表面近傍に、給電側コイル５８が設けられている。また、鍵５７には、その挿入部の先端部又は把手部に、受電側コイル５９（電力供給部）が設けられている。給電側コイル５８には、これに交流電流を供給する交流電源６０が接続されている。給電側コイル５８に受電側コイル５９を接近させると、電磁誘導により受電側コイル５９に交流電流が誘起される。この交流電流は、整流器６１により直流電流に変換されてから有機ＥＬシート１５に供給され、有機ＥＬシート１５が自動発光する。このため、鍵５７には、第１実施形態における電池１７や押圧スイッチ１６は不要である。なお、有機ＥＬシートの代わりに、交流駆動型の無機ＥＬシートを用いれば、整流器６１を省略することができる。
【００３８】
このように構成された鍵５７の挿入部の先端又は把手部をシリンダ５６に近づけると、鍵５７の表面に貼着された有機ＥＬシート１５が自動発光するから、押圧スイッチ等を押圧操作する手間も無く、暗闇でもシリンダ５６の鍵穴を容易に見つけることができる。
【００３９】
本実施形態では、シリンダに給電側コイル、鍵に受電側コイルをそれぞれ設け、これらを近接することにより、電磁誘導により受電側コイルに交流電流が誘起されるようにすることにより、鍵の電池やスイッチを不要としたが、本発明はこれに限定されることなく、例えば「フェリカ（FeliCa）」（登録商標）の方式によるリーダライタをシリンダに、フェリカチップ（電力供給部）を鍵に、それぞれ設けるようにしてもよい。この場合には、シリンダと鍵との距離を、例えば１０ｃｍ程度とかなり離しても作動するため、フェリカチップの配置の自由度が増すとともに、施解錠の情報などもシリンダと鍵との間で遣り取りできる。
【００４０】
以上説明した実施形態では、鍵本体の片面のみに有機ＥＬシートを貼着したが、本発明はこれに限定されることなく、例えば挿入部の先端面まで有機ＥＬシートを貼着するようにしてもよい。こうすると、鍵穴がより明瞭に照らし出される。また、鍵本体の両面に有機ＥＬシートを貼着してもよい。この場合、例えば、有機ＥＬシートの発光色を各面で異なる色とすることにより、鍵面の向きを特定することができる。
【００４１】
また、有機ＥＬシートの発光色を青色としたが、これに限定されないのは勿論で、例えば赤色としてもよい。また、施錠，解錠の別を○印，×印で表示したが、本発明はこれに限定されることなく、例えば笑顔，泣き顔のイラストや「施錠」，「解錠」等の文言を表示するようにしてもよい。
【００４２】
上記実施形態では、施錠装置の例としてシリンダタンブラタイプを挙げたが、本発明はこれに限定されることなく、例えば鍵の表面に深さや大きさの異なるくぼみ（ディンプル）を設けたディンプルキーを用いるタイプでもよい。このタイプでは、鍵穴に差し込む際の鍵面の向きは関係ないので、ディンプル部分を除く鍵本体の両面に有機ＥＬシートを貼着してもよい。
【００４３】
上記第３実施形態では、「１００１」→「０１０１」→「０００１」と変化させる発光パターンとしたが、本発明はこれに限定されることなく、例えば「１００１」→「１１０１」→「０１１０」→「０１０１」としてもよい。また、発光パターンの照合を行なう場合に、発光パターンそのものに限らず、発光する時間間隔も照合の対象としてもよい。
【００４４】
上記第３実施形態では、４セグメントによる発光パターンとしたが、本発明はこれに限定されることなく、例えば８セグメントや１６セグメントによる発光パターンとしてもよい。このようにセグメントを増やすと、模倣されにくい複雑な発光パターンを設定することができ、よりセキュリティ性を向上させることができる。
【００４５】
上記実施形態では、有機ＥＬシートを発光させる際にオンされるスイッチとして、押圧スイッチを採用したが、本発明はこれに限定されることなく、例えばスライド式のスイッチでもよい。
【図面の簡単な説明】
【００４６】
【図１】本発明の第１実施形態の鍵の片面ずつを示す平面図である。
【図２】第１実施形態の鍵の電気的構成を示す説明図である。
【図３】第１実施形態の鍵をシリンダの鍵穴に差し込む様子を示す説明図である。
【図４】本発明の第２実施形態の鍵の片面を示す平面図である。
【図５】第２実施形態の鍵とシリンダの各電気的構成を示すブロック図である。
【図６】本発明の第３実施形態の鍵の片面とシリンダの断面を説明図である。
【図７】第３実施形態の鍵とシリンダの各電気的構成を示すブロック図である。
【図８】第４実施形態の鍵とシリンダの各電気的構成を示すブロック図である。
【符号の説明】
【００４７】
１０，２５，４０，５７  鍵
１１  鍵本体
１１ａ，１１ｂ  片面
１２  挿入部
１３  把手部
１５，２６，４２  有機ＥＬシート
１６  押圧スイッチ
１７  電池
１８，３４，４４，５５  施錠装置
１９，３５，４５，５６  シリンダ
１９ａ  鍵穴
２０  反射シール
２７  ○印
２８  ×印
３０，３６  制御部
３１，３７  メモリ
５８  給電側コイル
５９  受電側コイル
【図１】
2010101093.tif 000003
【図２】
2010101093.tif 000004
【図３】
2010101093.tif 000005
【図４】
2010101093.tif 000006
【図５】
2010101093.tif 000007
【図６】
2010101093.tif 000008
【図７】
2010101093.tif 000009
【図８】
2010101093.tif 000010